【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
内燃エンジンフィルターハウジングの一部ではない、望ましくない微生物増殖に感受性の液体組成物に不透過性で、かつ、中空内部、少なくとも１つの開口及び更なる開口を画定するケーシングと、
前記ケーシングの前記中空内部に配置された殺菌剤成分と、
前記ケーシングの少なくとも１つの開口に又はその近傍に設けられ、かつ、前記ケーシングの外側から前記望ましくない微生物増殖に感受性の液体中への前記殺菌剤成分の制御放出を提供するのに有効な、少なくとも１つの液体透過性要素と、
前記さらなる開口に動作可能なように連結され、かつ、（ａ）空気が前記さらなる開口を通って前記中空内部から出ること、及び、（ｂ）望ましくない微生物増殖に感受性の液体組成物が前記さらなる開口を通って前記中空内部に入ることの少なくとも一方を可能にするのに有効な構造とを含む、
望ましくない微生物増殖に感受性の液体組成物内で殺菌剤成分を放出するための容器。
【請求項２】
前記構造が、前記さらなる開口を閉じるため前記さらなる開口内に設置されるように構築された除去可能栓を含む、請求項１に記載の容器。
【請求項３】
前記構造が弁を含み、
前記弁が、前記ケーシング内の望ましくない微生物増殖に感受性の液体組成物のレベルに応じて、空気が前記弁を横切って前記さらなる開口を通り前記中空内部から出ることを可能にする開放位置と、物質のいずれの流れもが前記弁を横切って前記さらなる開口を通って前記中空内部から出るのを阻止する、異なる閉鎖位置との間で動作する、請求項１に記載の容器。
【請求項４】
前記開放位置にある弁が動作して、前記望ましくない微生物増殖に感受性の液体組成物が前記さらなる開口を通って前記中空内部に入ることを可能にする、請求項３に記載の容器。
【請求項５】
前記弁が、前記ケーシング内の望ましくない微生物増殖に感受性の液体組成物のレベルに応じて、前記開放位置と前記異なる閉鎖位置との間で自動的に動作する、請求項１に記載の容器。
【請求項６】
前記殺菌剤成分が、前記ケーシングの前記中空内部に存在する実質的に唯一の活性材料である、請求項１〜５のいずれか１項に記載の容器。
【請求項７】
前記殺菌剤成分が疎水性である、請求項１〜６のいずれか１項に記載の容器。
【請求項８】
前記殺菌剤成分が、ハロゲン含有殺菌剤、ハロゲン放出殺菌剤、チオカルバマート殺菌剤、チオシアノ殺菌剤、スルファート殺菌剤、四級アンモニウム殺菌剤、金属含有殺菌剤、及びその混合物から成る群より選択される、請求項１〜７のいずれか１項に記載の容器。
【請求項９】
望ましくない微生物増殖に感受性の液体組成物を処理するための方法であって、
請求項１〜８のいずれか１項に記載の容器を、前記望ましくない微生物増殖に感受性の液体組成物と接触させて設置する工程、及び、
前記殺菌剤成分の一部を、前記ケーシングと接触した液体組成物へ放出させる工程
を含む、方法。
【請求項１０】
前記設置工程後に前記液体組成物中への前記殺菌剤成分の放出を促進するのに有効な量の液体を前記ケーシングの内部に添加する工程をさらに含む、請求項９に記載の方法。
【手続補正２】
【補正対象書類名】明細書
【補正対象項目名】０００７
【補正方法】変更
【補正の内容】
【０００７】
本容器は、例えば、該容器を用いて処理する予定の、望ましくない微生物増殖に感受性の液体組成物（以後、LCMG）に不透過性である、エンジンフィルターハウジングと別の該ハウジングから離れたケーシングを含む。ケーシングは、実質的に中空の内部と、例えば、ケーシングの最外壁に配置された少なくとも１つの開口とを画定する。一実施形態では、ケーシングは１つだけの開口を含む。殺菌剤又は殺生物剤成分はケーシングの内部に供給又は配置される。一実施形態では、殺菌剤又は殺生物剤成分は実質的に唯一の活性材料であり、例えば、ケーシングの中空内部内で、ケーシングと接触しているLCMGに有意な効果又は利益を及ぼすのに有効な実質的に唯一の材料である。殺菌剤又は殺生物剤成分を液体、ゲル、ペーストの形態で、又は固形で供給してよい。本発明の１つの特に有用な実施形態では、殺菌剤又は殺生物剤成分を複数の粒子として、又は粒状形態、例えば、ビーズ、タブレット、ペレット、グレイン、他の粒状形態及びその混合物の形態で供給する。
本発明の装置のケーシング及び他のLCMG不透過性成分は、好ましくは適切な金属、LCMG不溶性ポリマー材料、その組合せ及びその混合物から選択される材料で構成される。有用なケーシングは、金属、例えばスチール、アルミニウム、合金等；ポリマー材料、例えばポリビニルクロリド、ポリエチレン、ポリプロピレン、他のポリオレフィン、ナイロン、ポリエチレンビニルアセタート（EVA）、ポリプロピレンビニルアセタート（PVA）、その組合せ及びその混合物などから選択される材料で作られる。
本発明の容器は、ケーシングの少なくとも１つの開口に又はその近傍に設けられる少なくとも１つのLCMG透過性要素又は成分をも含む。例えば、限定するものではないが、膜を含むこのLCMG透過性要素は、LCMG、例えば、ケーシングと接触しているLCMG中へのケーシング内の殺菌剤又は殺生物剤成分の一部の放出に備える（provide）のに有効である。該放出は、ケーシング内に殺菌剤成分の一部が保持されるように一定期間にわたって起こる。放出は、例えば、少なくとも殺菌剤成分の最初の放出が起こった後には、持続速度で、又は実質的に一定速度でさえ起こり得る。本発明に従って得られる殺菌剤成分放出は、LCMG中への殺菌剤成分の拡散に関与しることがあり、好ましくは持続性殺菌剤成分放出である。
【手続補正３】
【補正対象書類名】明細書
【補正対象項目名】００４１
【補正方法】変更
【補正の内容】
【００４１】
図7は、ここで明白に述べること以外、容器10、110、210及び310と実質的に同様に構築され、かつ機能する本発明の弁付き容器410を示す。図7のやや概略的な特性は、弁付き容器410の目立つ特徴を明らかにすることを意味する。
弁付き容器410は一般的に、米国FDA登録殺菌剤成分の粒子424を含むための中空内部422を画定する細長い円筒形ケーシング本体413を含む。
ケーシング本体413は、相対的に大きい開口430を画定する第1の末端壁484を含む。膜フィルター層又はパッド427が開口430を覆って、適所に、すなわち第1の末端壁484に、本明細書の他の所に記載の接着剤で固定されている。膜層又はパッド427は膜パッド又は層327と同様に構築され、かつ機能する。
ケーシング本体413は、第2の開口488を画定する反対の第2の末端壁486を含む。一般的に92で示す球浮き弁は、弁ポート又は導管94と、弁ハウジング96と、ハウジング内の球98とを含む。弁導管94と弁ハウジングは一緒に固定されている。弁ハウジング96と球98はケーシング本体413内部に配置されている。弁導管94は、例えば、締まりばめされ、及び／又は接着剤を用いてケーシング本体413に固定されている。図７に示されるように、弁92は、第2の開口488に動作可能なように連結されており、開口430及び膜層又はパッド427からは離れており、該開口430及び膜層又はパッド427から離れて配置されており、かつ、該開口430及び膜層又はパッド427に動作可能なように連結されていない。
LCMGが容器410を横切って流れる場合、開口430が第2の開口488の下方にあるか、又は開口430が第2の開口488の下流にある状態で容器410をLCMG内に設置してよい。容器410がLCMGに浸漬されてくると、LCMGが弁導管94及び開口430及び膜層又はパッド427を通って中空内部422に入る。LCMGがそのように中空内部422に導入されると、弁導管94を通って空気が中空内部から出る。中空内部422内のLCMGレベルが球98の当該レベルにほぼ等しいレベルに達したら、球が弁導管94に逆らって浮き上がって弁92を閉じ、弁92を横切って中空内部422を出入りする物質のいずれの流れをも実質的に阻止する。換言すれば、弁92は、中空内部422内のLCMGのレベルに応じて、開放位置（開放位置において、LCMGは弁導管94を通って中空内部422内へ導入され、空気は弁導管94を通って中空内部422内から出される）と、異なる閉鎖位置（閉鎖位置において、弁92を横切って中空内部422を出入りする物質のいずれの流れもが実質的に阻止される）との間で自動的に動作するすよう構築され、かつ、自動的（すなわち、人間の介入なしに）に動作する。従って、閉鎖位置にある弁92により、中空内部422内のLCMG及び殺菌剤成分424は、中空内部422から弁92を横切って第2の開口488を通って出るのを実質的に阻止される。
容器410は、容器310と同様に機能して、効率的に開口430を通じて殺菌剤成分(組成物)を容器から冷却剤(LCMG)中に放出する。
容器410は、液体が中空内部に入れるように構築されているので、その液体で殺菌剤成分が効率的に湿らされ、この湿潤が、制御され又は一貫した、例えば、実質的に一定の、殺菌剤成分の冷却剤(LCMG)中への放出速度を促すのに有利であろう。